(57)【要約】      （修正有）【課題】被覆部に着脱自在であるカバーを有し、被覆部を保護して汚れるのを防ぐことができ、カバーが汚れた場合、及び使用場所、使用時期、又はユーザの好みに合わせてスリッパを変える必要がある場合に、カバーのみを交換して対処することができるスリッパ、及びカバーを提供する。【解決手段】スリッパ１は、足裏に対応した形状を有し、前後に延びる台部３と、平面視が、円弧側が前側である半円状をなし、台部３の前側を覆う被覆部と、裏面が被覆部の表面に当接された状態で、周縁部が被覆部の周縁部に係止される着脱自在のカバー５とを備える。【選択図】図１
0003208454.tif 000002
【実用新案登録請求の範囲】
【請求項１】
足裏に対応した形状を有し、前後に延びる台部と、
平面視が、円弧側が前側である半円状をなし、前記台部の前側を覆う被覆部と、
裏面が前記被覆部の表面に当接された状態で、周縁部が前記被覆部の周縁部に係止される着脱自在のカバーと
を備えることを特徴とするスリッパ。
【請求項２】
前記被覆部の周縁部の後部分と、前記カバーの周縁部の後部分と係止する係止構造を有することを特徴とする請求項１に記載のスリッパ。
【請求項３】
前記係止構造は、
前記被覆部の後部分に取り付けられたボタンと、
前記カバーに設けられ、前記ボタンが挿通されるボタン挿通穴と
を有する
ことを特徴とする請求項２に記載のスリッパ。
【請求項４】
前記カバーは、
パイル編み地、メリヤス編み地、又はゴム編み地で形成され、編み方向及び編み方向と交叉する方向への伸縮が自在であり、
周縁部にゴム紐を有する
ことを特徴とする請求項１から３までのいずれか１項に記載のスリッパ。
【請求項５】
前記被覆部は、周縁部が、前記台部の側面の外側に位置する状態で、前記台部に接合されている
ことを特徴とする請求項１から４までのいずれか１項に記載のスリッパ。
【請求項６】
前記台部の前側の周縁部分に、外側に張り出した張出部が設けられており、
前記被覆部の周縁部が前記張出部より裏側に突出している
ことを特徴とする請求項５に記載のスリッパ。
【請求項７】
前記被覆部は、後部が前部より表側に位置するように、前部と後部との間に段差を有し、後部は所定の前後幅を有する
ことを特徴とする請求項１から６までのいずれか１項に記載のスリッパ。
【請求項８】
前記台部及び前記被覆部の前端部は表側に反っている
ことを特徴とする請求項１から７までのいずれか１項に記載のスリッパ。
【請求項９】
前記台部、及び前記被覆部は、エチレン−酢酸ビニル共重合樹脂製である
ことを特徴とする請求項１から８までのいずれか１項に記載のスリッパ。
【請求項１０】
足裏に対応した形状を有し、前後に延びる台部と、平面視が、円弧側が前側である半円状をなし、前記台部の前側を覆い、後部分にボタンが取り付けられた被覆部とを備えるスリッパの前記被覆部の周縁部に、その周縁部が係止されるカバーであって、
半円状をなす本体と、
該本体の周縁部に取着されたゴム紐と、
前記本体の弦部分に設けられ、前記ボタンが挿通されるボタン挿通穴と
を有することを特徴とするカバー。
【考案の詳細な説明】
【技術分野】
【０００１】
本考案は、足の甲を被覆する被覆部に着脱されるカバー、及び該カバーを有するスリッパに関する。
【背景技術】
【０００２】
スリッパは、前後方向に延びる板状をなし、足を載せる台部と、台部の前側に設けられ、足の甲を被覆する前記被覆部とを有する。
スリッパは、ホテル、病院、家屋等の建物の内部、中でもトイレ、台所、食堂、寝室等において多く用いられているが、被覆部は汚れやすく、不衛生になりやすい。
スリッパは、材質によっては洗濯機で洗うことが可能なものもあるが、芯に厚紙が用いられている場合は手洗いも困難であり、被覆部を布やウエットティッシュで拭き取るしかないことも多い。
【０００３】
特許文献１には、足裏当接部、底部、足甲当接部及び中敷が、焼却したとき有毒ガスを出さない例えば布等の材料からなり、中敷は上下の厚紙層とこの厚紙に挟まれた紙製弾力部材層の３層からなるスリッパの考案が開示されている。このスリッパは焼却処分を行っても有毒ガス等がほとんど生じない。また、紙製の弾力部材層は当初弾力性を有するが、重量をかけ続けた場合、比較的短時間で弾力性がなくなるので、体重がかかる部分は押し潰されて履く人の足裏当接部に適合した形状となり、違和感がなくなり、履き心地が良好である。
【先行技術文献】
【特許文献】
【０００４】
【特許文献１】実開平６−８６５０３号公報
【考案の概要】
【考案が解決しようとする課題】
【０００５】
しかし、特許文献１のスリッパは、汚れた場合に破棄される使い捨て型のスリッパであり、環境保護上、問題がある。
そして、被覆部が汚れた場合、また、使用場所、使用時期、又はユーザの好みに合わせてスリッパを変える必要がある場合等、早急に別のスリッパと交換できることも求められている。
【０００６】
本考案は斯かる事情に鑑みてなされたものであり、被覆部に着脱自在であるカバーを有し、被覆部を保護して汚れるのを防ぐことができ、カバーが汚れた場合、及び使用場所、使用時期、又はユーザの好みに合わせてスリッパを変える必要がある場合に、カバーのみを交換することで、迅速に対処することができるスリッパ、及びカバーを提供することを目的とする。
【課題を解決するための手段】
【０００７】
本考案に係るスリッパは、足裏に対応した形状を有し、前後に延びる台部と、平面視が、円弧側が前側である半円状をなし、前記台部の前側を覆う被覆部と、裏面が前記被覆部の表面に当接された状態で、周縁部が前記被覆部の周縁部に係止される着脱自在のカバーとを備えることを特徴とする。
【０００８】
本考案においては、被覆部に着脱自在であるカバーを有するので、被覆部を保護して汚れるのを防ぐことができ、カバーが汚れた場合にはカバーのみを取り外して、汚れていないものと交換することができる。取り外されたカバーは洗濯して再度使用することができる。また、使用場所、使用時期、又はユーザの好みに合わせてスリッパを変える必要がある場合、カバーのみを交換することで、迅速に対処することができる。
【０００９】
本考案に係るスリッパは、前記被覆部の周縁部の後部分と、前記カバーの周縁部の後部分と係止する係止構造を有することを特徴とする。
【００１０】
本考案においては、万一、カバーの前端側の周縁部が被覆部の周縁部から外れた場合であっても、カバーが被覆部から外れない。
【００１１】
本考案に係るスリッパは、前記係止構造は、前記被覆部の後部分に取り付けられたボタンと、前記カバーに設けられ、前記ボタンが挿通されるボタン挿通穴とを有することを特徴とする。
【００１２】
本考案においては、カバーの後部分がボタンによって被覆部の後部分に良好に固定される。
【００１３】
本考案に係るスリッパは、前記カバーは、パイル編み地、メリヤス編み地、又はゴム編み地で形成され、編み方向及び編み方向と交叉する方向への伸縮が自在であり、周縁部にゴム紐を有することを特徴とする。
【００１４】
本考案においては、カバーを前後左右に引っ張りながら被覆部の表面に沿わせた状態で、ゴム紐により容易にカバーの周縁部を被覆部の周縁部に係止することができる。
【００１５】
本考案に係るスリッパは、前記被覆部は、周縁部が、前記台部の側面の外側に位置する状態で、前記台部に接合されていることを特徴とする。
【００１６】
本考案においては、台部と、外部に張り出したカバーとの隙間に、カバーの周縁部が入り込むことにより、カバーが台部に良好に係止される。
【００１７】
本考案に係るスリッパは、前記台部の前側の周縁部分に、外側に張り出した張出部が設けられており、前記被覆部の周縁部が前記張出部より裏側に突出していることを特徴とする。
【００１８】
本考案においては、台部の側面と、張出部と、被覆部の周縁部とにより溝が形成されるので、カバーの周縁部が被覆部の周縁部に、より良好に係止される。
【００１９】
本考案に係るスリッパは、前記被覆部は、後部が前部より表側に位置するように、前部と後部との間に段差を有し、後部は所定の前後幅を有することを特徴とする。
【００２０】
本考案においては、甲が挿入し易く、かつカバーの甲の挿入部分が表側に反ることになるので、カバーがずれるのが抑制される。
【００２１】
本考案に係るスリッパは、前記台部及び前記被覆部の前端部は表側に反っていることを特徴とする。
【００２２】
本考案においては、カバーの前端部分が表側に反ることになり、カバーがずれるのが抑制される。
【００２３】
本考案に係るスリッパは、前記台部、及び前記被覆部は、エチレン−酢酸ビニル共重合樹脂製であることを特徴とする。
【００２４】
本考案においては、軽量であり、滑りにくく、耐久性を有し、足への負担が少ない。
【００２５】
本考案に係るカバーは、足裏に対応した形状を有し、前後に延びる台部と、平面視が、円弧側が前側である半円状をなし、前記台部の前側を覆い、後部分にボタンが取り付けられた被覆部とを備えるスリッパの前記被覆部の周縁部に、その周縁部が係止されるカバーであって、半円状をなす本体と、該本体の周縁部に取着されたゴム紐と、前記本体の弦部分に設けられ、前記ボタンが挿通されるボタン挿通穴とを有することを特徴とする。
【００２６】
本考案においては、カバーを容易にスリッパの被覆部に着脱することができ、カバーがスリッパから外れることが防止されている。
【考案の効果】
【００２７】
本考案によれば、被覆部に着脱自在であるカバーを有するので、被覆部を保護して汚れるのを防ぐことができ、カバーが汚れた場合、及び使用場所、使用時期、又はユーザの好みに合わせてスリッパを変える必要がある場合、カバーのみを交換することで、迅速に対処することができる。
【図面の簡単な説明】
【００２８】
【図１】本考案の実施の形態に係るスリッパの斜視図である。
【図２】本考案の実施の形態に係るスリッパの裏面図である。
【図３】本考案の実施の形態に係るスリッパ本体の斜視図である。
【図４】本考案の実施の形態に係るスリッパ本体の側面図である。
【図５】本考案の実施の形態に係るスリッパ本体の裏面図である。
【図６】本考案の実施の形態に係る台部の分解斜視図である。
【図７】図３のVII −VII線断面図である。
【図８】本考案の実施の形態に係るカバーの表面図である。
【図９】本考案の実施の形態に係るカバーの裏面図である。
【考案を実施するための形態】
【００２９】
以下、本考案をその実施の形態を示す図面に基づいて具体的に説明する。
図１は本考案の実施の形態に係るスリッパ１の斜視図、図２はスリッパ１の裏面図、図３はスリッパ本体２の斜視図、図４はスリッパ本体２の側面図、図５はスリッパ本体２の裏面図、図６は台部３の分解斜視図、図７は図３のVII −VII線断面図である。以下の説明において、図に示した上下前後左右を使用する。
【００３０】
図１及び図２に示すように、スリッパ１は、台部３及び被覆部４を有するスリッパ本体２と、カバー５とを備える。台部３は、足裏に対応した形状を有し、前後に延びる板状をなす。被覆部４は、平面視が、円弧側が前側である半円状をなし、台部３の前側を覆う。被覆部４の後端部と台部３との間には、足の甲を挿入するための開口が形成されている。カバー５は、裏面が被覆部４の表面に当接された状態で、周縁部が被覆部４の周縁部に係止されるように構成され、着脱自在である。
【００３１】
図３〜図７に示すように、スリッパ本体２の台部３は、本体３１と、足裏が当接される足当接部３２とを有する。本体３１は、周縁部を残した状態で内側に凹んだ凹部３１ａを有する。凹部３１ａの後側部分には、楕円状の貫通孔３１ｂが設けられている。図７に示すように、貫通孔３１ｂの下側には、貫通孔３１ｂより大径の段部３１ｃが設けられている。本体３１の裏面の中央部から前寄りの部分、及び中央部から後ろ寄りの部分夫々には、楕円枠状の滑り止め部３３が設けられている。
足当接部３２は薄板状をなす。足当接部３２の裏面の後側部分には、平面形状が貫通孔３１ｂに対応する形状であり、下側に突出した柱状の突起部３２ａが設けられている。突起部３２ａの下端部には、突起部３２ａより大径の板部３２ｂが設けられている。板部３２ｂが段部３１ｃに係止された状態で、突起部３２ａが貫通孔３１ｂに嵌め込まれている。
スリッパ本体２は、例えばエチレン−酢酸ビニル共重合樹脂（ＥＶＡ）等の合成樹脂からなり、足当接部３２の硬度は本体３１の硬度より高く調整されている。
【００３２】
スリッパ本体２がＥＶＡ製である場合、軽量であり、耐久性を有する。そして、滑り止め部３２が設けられていることと相まって、床がタイル敷きされている場合、フローリング加工されている場合等に使用したときにおいても滑りにくい。また、足への負担が少ないところ、足当接部３１の硬度を適宜の値に調整することで、より足への負担が少なくなっている。
【００３３】
被覆部４は、円弧側が前側である半円状をなす本体４１（前部）と、本体４１より後側に位置する甲挿入部４２（後部）とを有する。
本体４１には、複数の通気孔４４が設けられている。
甲挿入部４２は、本体４１の後縁部に沿い、本体４１よりも上側に設けられており、所定の前後幅を有する。本体４１と甲挿入部４２との間には、上下の段差４２ａが形成されている。また、甲挿入部４２の左右方向の両端部寄りには夫々、ボタン４３が取り付けられている。そして、両端部は、三角形状に尖っている。
【００３４】
図５に示すように、本体３１の表面（上面）における、本体３１の前側の周縁部には、外側に張り出した張出部３４が設けられている。本体４１の周縁部４１ａは張出部３４よりも裏側（下側）に突出しており、この突出した状態で被覆部４は張出部３４に接合されている。本体３１の側面と、張出部３４と、周縁部４１ａとにより溝３５が形成されている。
図４に示すように、台部３及び被覆部４の前端部は、表側に反り部４１ｂを有する。
【００３５】
図８はカバー５の表面図、図９はカバー５の裏面図である。
カバー５は、本体５１と、ゴム紐５３とを有する。
カバー５は、半円状をなす。カバー５の本体５１の周縁部は、Ｕ字状をなす湾曲部分５１ａ、湾曲部分５１ａの両端部に夫々連なり内側へ傾斜した傾斜部分５１ｂ，５１ｂ、及び傾斜部分５１ｂ，５１ｂに連なる平坦部分５１ｃを有する。
【００３６】
本体５１は合成樹脂製の糸、又は毛糸を含んでなる、パイル編み地、メリヤス編み地、又はゴム編み地で形成されており、編み方向及び編み方向と交叉する方向への伸縮が自在である。本体５１の編地がパイル編み地である場合、例えばポリウレタン等を含む芯糸をナイロン、ポリエステル等でカバーリングしてなり、弾性を有する地糸と、例えばアクリル等を含むループ糸とをパイル編機、横編機等の編機で、従来のゲージ数より少ない適宜のゲージ数で粗く編むことにより、編み方向及び編み方向と交差する方向への伸縮、換言すれば二次元方向への伸縮が可能なシート形に作られており、表面にパイルを有している。
本体５１が編み地により形成されているので、被覆部４の本体４１に複数の通気孔４４が設けられていることと相まって、スリッパ１の通気性は良好である。
【００３７】
本体５１の湾曲部分５１ａ、傾斜部分５１ｂ，５１ｂにはゴム紐５３が取着されている。平坦部分５１ｃの両端部には、ボタン４３，４３の脚部が挿通されるボタン挿通穴５２，５２が形成されている。
【００３８】
以下、カバー５を被覆部４に装着する手順について説明する。
カバー５を被覆部４に装着する場合、まず、カバー５の裏面を被覆部４の表面に対向させた状態で、被覆部４の上に載置する。
次に、本体５１の湾曲部分５１ａの中央部を本体４１の周縁部の中央部に係止し、ゴム紐５を上述の台部３の側面と、張出部３４と、本体４１の周縁部とにより形成される溝３５に入れ込む。
【００３９】
そして、ボタン４３，４３をボタン挿通穴５２，５２に挿通して、平坦部分５１ｃを甲挿入部４２に固定し、本体５１を前後方向に引っ張りながら湾曲部分５１ａの両端部を溝３５に係止し、傾斜部分５１ｂ，５１ｂを本体４１の周縁部の尖った部分に係止する。
なお、傾斜部分５１ｂ，５１ｂは本体４１の周縁部の尖った部分に係止しないことにしてもよい。
また、先にボタン４３，４３をボタン挿通穴５２，５２に挿通して、平坦部分５１ｃを甲挿入部４２に固定した後、本体５１を引っ張り、本体５１の周縁部を被覆部４１の周縁部に係止することにしてもよい。
【００４０】
本実施の形態に係るスリッパ１は以上のように構成されており、被覆部４に着脱自在であるカバー５を有するので、被覆部４を保護して汚れるのを防ぐことができ、カバー５が汚れた場合にはカバー５のみを取り外して、汚れていないものと迅速に交換することができる。取り外されたカバー５は洗濯して再度使用することができ、環境保護が配慮されている。
また、使用場所、使用時期、又はユーザの好みに合わせてスリッパを変える必要がある場合、カバー５の色、材質等を考慮して交換し、即ち着せ替えることで、早急に対処することができる。
【００４１】
そして、本実施の形態に係るスリッパ１においては、カバー５の甲の挿入側部分がボタン４３によって甲挿入部４２に固定される。従って、万一、カバー５の先端側の周縁部が被覆部４の先端側の周縁部から外れた場合であっても、カバー５が被覆部４の周縁部以外の中央寄りの部分を覆った状態であり、被覆部４が保護される。
なお、ボタン４３をボタン挿通穴５２に挿通してカバー５を被覆部４に固定する場合に限定されるものではなく、甲挿入部４２にカバー５の後部を係止する係止構造を有すればよい。この係止構造は、被覆部４及びカバー５の一方に係止部が設けられ、他方に被係止部が設けられるものであってもよく、被覆部４及びカバー５のいずれか一方に他方を係止する係止部が設けられるものであってもよい。前者の一例としてスナップの凹部側部分及び凸側部分を被覆部４及びカバー５に設ける場合が挙げられ、後者の一例として被覆部４にクリップを設ける場合が挙げられる。
【００４２】
本実施の形態に係るスリッパ１は、カバー５がパイル編み地、メリヤス編み地、又はゴム編み地材で形成され、編み方向及び該編み方向と交叉する方向への伸縮が自在であり、周縁部にゴム紐５が取着されているので、カバー５を前後左右に引っ張りながら被覆部４の表面に沿わせた状態で、ゴム紐５３により容易にカバー５の周縁部を被覆部４の周縁部に係止することができる。
【００４３】
本実施の形態に係るスリッパ１は、台部３の周縁部の中央部から先端寄りの部分に、外側に張り出した張出部３４が設けられており、被覆部４は、周縁部が張出部３４の平面から裏側に配された状態で、張出部３４に接合されているので、上述したように、台部３の側面と、張出部３４と、被覆部４の周縁部とにより溝３５が形成され、カバー５の周縁部が被覆部４の周縁部に良好に係止されることができる。
【００４４】
本実施の形態に係るスリッパ１は、被覆部４の甲の挿入側縁部に甲挿入部４２が設けられているので、カバー５の甲の挿入部分が表側に反ることになり、カバー５がずれるのが抑制されている。そして、反り部４１ｂを有し、台部３及び被覆部４の前端部が表側に反っているので、カバー５の前端部分が表側に反ることになり、カバー５がずれるのが抑制されている。
【００４５】
なお、今回開示された実施の形態は、全ての点で例示であって、制限的なものではないと考えるべきである。本考案の範囲は、上述した意味ではなく、実用新案登録請求の範囲と均等の意味及び実用新案登録請求の範囲内での全ての変更が含まれることが意図される。
【符号の説明】
【００４６】
１  スリッパ
２  スリッパ本体
３  台部
３１  本体
３２  当接部
３３  滑り止め部
３４  張出部
３５  溝
４  被覆部
４１  本体（前部）
４１ａ  周縁部
４１ｂ  反り部
４２  甲挿入部（後部）
４２ａ  段差
４３  ボタン
４４  通気孔
５  カバー
５１  本体
５１ａ  湾曲部分
５１ｂ  傾斜部分
５１ｃ  平坦部分（弦部分）
５２  ボタン挿通穴
５３  ゴム紐
【図１】
0003208454.tif 000003
【図２】
0003208454.tif 000004
【図３】
0003208454.tif 000005
【図４】
0003208454.tif 000006
【図５】
0003208454.tif 000007
【図６】
0003208454.tif 000008
【図７】
0003208454.tif 000009
【図８】
0003208454.tif 000010
【図９】
0003208454.tif 000011